(57)【要約】【課題】高圧活電部位と作業区域との間を区画する区画体を任意角度に設置する作業区域区画用具を提供する。【解決手段】網目構造のネット体をフレームで支持して固定面２と可動面３とが形成され、可動面３は支持パイプ５回りに任意角度に展開角度が調整できるようにして区画体１が構成されている。この区画体１は上取付アーム６及び下取り付けアーム７によりコンクリート柱Ａに装着されたアーム装着ホルダ５５，５６に任意角度で装着することができる。【選択図】  図１
2004260979.tif 000002
【特許請求の範囲】
【請求項１】
絶縁性材料により網目構造に形成された網目体を絶縁性のフレームにより支持した複数のネット体と、１又は複数のネット体の展開角度を任意角度に調整する展開角度調整手段とを備えて区画体が形成され、この区画体を任意の支持物に固定する固定手段を設けてなることを特徴とする作業区域区画用具。
【請求項２】
固定手段による区画体の固定角度及び区画体の支持物からの離隔距離を任意に調整可能とする設置位置角度調整手段が設けられてなる請求項１に記載の作業区域区画用具。
【発明の詳細な説明】
【０００１】
【発明の属する技術分野】
本発明は、送電、配電に係る諸施設において電気工事あるいは保守点検等を行う際に、作業区域とその周辺に存在する高圧活線区域とを区画して作業の安全を図る作業区域区画用具に関するものである。
【０００２】
【従来の技術】
送電、配電に係る諸施設、例えば架空電線路の電気工事あるいは保守点検等の作業を行うときには、主に支持柱（電柱）上での作業となる。支持柱は電線路の支持だけでなく、変圧器等の機械器具が設置され、高圧電線路が水平方向だけでなく高圧引下線のように垂直方向にも配線されていることが少なくない。このような中で作業を行うことは危険を伴うので、高圧電線路などの危険箇所に対して接近できる接近可能区域を設定し、この接近可能区域から人体や機材が危険箇所に向けて出ないように区画する対策が講じられる。
【０００３】
近接可能区域を設定する従来方法として、絶縁性の網やロープを張り巡らせることが一般的に行われるが、雨水に曝されたとき含水して絶縁性が損なわれることや、緊張状態に設置し難いために区画手段としての機能に乏しい等の問題があり、これに代わるものとして、網糸を編網した網体を用いた電気工事用区画具が知られている（特許文献１参照）。この電気工事用区画具は、鮮やかな色彩に着色した角目仕立ての網体の縁部に補強シートを固定し、補強シートに形成された挿通孔に連結用ロープを通し、ロープを何らかの支持体に結び付けることにより所要場所に網体を設置することができる。
【０００４】
また、絶縁性のシートの少なくとも一辺に可撓性の棒状体を取り付けた電気工事用絶縁カバーが知られている（特許文献２参照）。この電気工事用絶縁カバーは、棒状体を折り曲げて活電部位に巻き付けると、絶縁カバーによって活電部位が覆われるものである。
【０００５】
【特許文献１】
実登３０３５１７６号公報（第６〜９頁、図１）
【０００６】
【特許文献２】
実開平０７−２０００９号公報（第４〜７頁、図１）
【０００７】
【発明が解決しようとする課題】
しかしながら、特許文献１に開示されたような網体をロープによって張設するものでは、ロープの先を繋着させる部位が存在しない場所、例えば、コンクリート柱上などでは展開状態に取り付けることができず、別途に鉄製フレームを用意して、これにロープを繋ぐことが開示されている。また、網体は網糸を角目仕立てに編網したものであるため、緊張状態に張設するには四方からロープで平均的に引っ張る必要があり、設置作業が容易でなく、高所での設置に多大な作業工数と危険性を伴う問題があった。
【０００８】
また、特許文献２に開示された電気工事用絶縁カバーは、絶縁性シートの端辺に取り付けた可撓性の棒状体の折り曲げにより活電部位に絶縁性シートを被せることが容易としているが、高圧の活電部位に対してこのような作業は極めて危険であるため、低圧の活線部位の絶縁と活線部位の表示のためにしか対応できないものと考えられる。
【０００９】
本発明が目的とするところは、コンクリート柱等の支持柱上に任意角度に設置して高圧部位と作業区域とを確実に区画して作業の安全を図る作業区域区画用具を提供することにある。
【００１０】
【課題を解決するための手段】
上記目的を達成するための本発明に係る作業区域区画用具は、絶縁性材料により網目構造に形成された網目体を絶縁性のフレームにより支持した複数のネット体と、１又は複数のネット体の展開角度を任意角度に調整する展開角度調整手段とを備えて区画体が形成され、この区画体を任意の支持物に固定する固定手段を設けてなることを特徴とする。
【００１１】
上記作業区域区画用具によれば、区画体は絶縁性の網目体をフレームで支持して複数のネット体が形成され、展開角度調整手段により１又は複数のネット体を任意角度に調整できるので、保管時や運搬時には小さく折り畳み状態とすることができ、設置時には区画の状態に応じて任意角度に展開することができる。従って、保管のためのスペースが少なく、運搬も容易であり、設置したときには大きな面積で且つ場所に応じた作業区域を確保することができる。また、網目体はフレームで支持されているので、常に一定の平面状態にあり、網目構造により風圧の影響を軽減させ、透視状態も得ることができる。
【００１２】
また、固定手段による区画体の固定角度及び区画体の支持物からの離隔距離を任意に調整可能とする設置位置角度調整手段を設けることにより、区画体を作業場所や高圧部位の位置に応じた角度及び位置に設置することができる。
【００１３】
【発明の実施の形態】
以下、添付図面を参照して本発明の実施の形態について説明し、本発明の理解に供する。尚、以下に示す実施の形態は本発明を具体化した一例であって、本発明の技術的範囲を限定するものではない。
【００１４】
図１は、第１の実施形態に係る作業区域区画用具の全体構成を示すもので、フレームパイプによりネット体を支持した区画体１を上取付アーム６，下取付アーム７によりコンクリート柱（支持柱）Ａに取り付けた状態を示している。区画体１は、固定面２と可動面３とを備えて構成され、可動面３は支持パイプ５の軸心回りに略２７０度回動可能で、任意の回動角度に固定できるように構成されている。
【００１５】
図２は、区画体１をその可動面３が固定面２と同一平面上になる１８０度展開状態にして示すものである。固定面２は、支持パイプ５と、この支持パイプ５に一端側が固定された上下一対の水平固定パイプ１１ａ，１１ｂと、この水平固定パイプ１１ａ，１１ｂの他端側と支持パイプ５との間を斜めに接続する一対の傾斜固定パイプ１２ａ，１２ｂとにより固定ネット体８を支持して構成されている。  また、可動面３は、支持パイプ５に一端側で回動可能に支持された上下一対の水平可動パイプ１３ａ，１３ｂと、この水平可動パイプ１３ａ，１３ｂの他端側にそれぞれ他端が固定され、一端側が支持パイプ５に回動可能に支持された一対の傾斜可動パイプ１４ａ，１４ｂと、支持パイプ５とにより可動ネット体９を支持して構成されている。
【００１６】
前記固定ネット体８及び可動ネット体９は、目立ちやすいように鮮やかな色彩（ここでは黄色）の絶縁性樹脂を網目構造に樹脂成形された格子孔シートを所要形状に裁断したものである。支持パイプ５、水平固定パイプ１１ａ，１１ｂ、水平可動パイプ１３ａ，１３ｂに対する取り付けは、所要部位に延出形成された巻き付け代８ａ，９ａをパイプに半周させて折り返し、重ね合わせ部分を絶縁性材料により形成された結束バンド１５で固定している。また、傾斜固定パイプ１２ａ，１２ｂ及び傾斜可動パイプ１４ａ，１４ｂに対しては、格子孔を通してパイプに巻き付けた結束バンド１５により固定されている。
【００１７】
前記支持パイプ５は、図３に示すように、ＦＲＰ製のパイプ１６の上下に水平固定パイプ１１ａ、１１ｂを固定する固定リング１７がリング固定ピン１８をパイプ１６に貫通させて固定されており、側面に中心に向けて貫通する固定穴１９に水平固定パイプ１１ａ，１１ｂの一端が嵌挿され、軸方向に貫通させたパイプ固定ピン２０により固定される。また、固定リング１７の一方面には、図２（ｂ）に示すように、３０度間隔で角度設定孔２１が形成され、固定リング１７に隣接して配置される可動リング（展開角度調整手段）２２に固定された角度設定ピン２３が嵌入する。
【００１８】
前記可動リング２２は支持パイプ５に回転可能に嵌挿され、図３（ａ）（ｃ）に示すように、固定リング１７と対面する面の円周上１８０度位置に２本の角度設定ピン２３が固定され、角度設定ピン２３を固定リング１７の角度設定孔２１に嵌入させる位置を変えることにより３０度間隔でパイプ１６上での回動角度が変化できるように構成されている。また、側面に中心に向けて貫通する固定穴２４には水平可動パイプ１３ａ，１３ｂの一端が嵌挿され、軸方向に貫通させたパイプ固定ピン２０により固定されている。パイプ１６の両端には、それぞれネジ軸２５ａ部分を外部に突出させて嵌入軸２５が嵌入固定されており、ネジ軸２５ａにワッシャ２６を嵌め込み、操作ノブ２７を螺進させることにより、可動リング２２は固定リング１７上に位置固定される。このように固定リング１７に設けられた角度設定孔２１に可動リング２２の角度設定ピン２３が嵌入して角度設定された可動面３の展開状態は、操作ノブ２７の締め付けにより固定されるので、区画体１に作業者がもたれかかるようなことがあっても可動面３の展開角度が変化することがなく、可動面３が角度変化して作業者がよろけてしまうことなく受け止めることができるだけの角度保持強度が得られる。
【００１９】
上下の操作ノブ２７の螺入を角度設定ピン２３が角度設定孔２１に嵌入している高さ寸法以上に緩め、可動リング２２を固定リング１７から引き離すことができる状態にして、水平可動パイプ１３ａ，１３ｂを持って上下の可動リング２２を固定リング１７から引き離して角度設定ピン２３が角度設定孔２１から抜き出た状態とし、上下の水平可動パイプ１３ａ，１３ｂが所望の角度になるように可動リング２２を回動させた後、上下の可動リング２２をそれぞれ固定リング１７側に押し出し、角度設定ピン２３を角度設定孔２１に押し込み、操作ノブ２７締め付ける操作を行うことにより、可動面３の角度調節を行うことができる。
【００２０】
水平固定パイプ１１ａ，１１ｂ及び水平可動パイプ１３ａ，１３ｂの他端側先端部分には、図２（ａ）に示すように、ゴム製のキャップ２８が被せられて先端部分による人体への障害を防止すると共に、パイプ内への水や塵埃の侵入を防止している。また、水平固定パイプ１１ａ，１１ｂ及び水平可動パイプ１３ａ，１３ｂの他端側には固定ピン２９により連結具３０が固定され、連結具３０に傾斜固定パイプ１２ａ，１２ｂ又は傾斜可動パイプ１４ａ，１４ｂの一端が固定ピン２９により固定される。
【００２１】
傾斜固定パイプ１２ａ，１２ｂの他端側は、図２、図５に示すように、支持パイプ５に固定された固定具３１に上下対の他端が固定される。傾斜可動パイプ１４ａ，１４ｂの他端側は、支持パイプ５に回動可能に嵌挿された回動具３２に上下対の他端が固定される。
【００２２】
上記構成になる区画体１を図１に示すようにコンクリート柱Ａに取り付けるために、水平固定パイプ１１ａに上取付アーム６、支持パイプ５に下取付アーム７がそれぞれ固定される。
【００２３】
上取付アーム６は、図４に示すように、ＦＲＰ製のパイプ３３の一端に装着具３４を固定して構成されている。装着具３４は、パイプ３３を固定ピン２９によって固定した基部３５と、この基部３５に回動可能に連結された回動部３７との間で水平固定パイプ１１ａを挟持できるように構成されている。基部３５は一対の支持部３６、３６の間に回動部３７の一端を軸支し、基部３５に枢ピン３８により回動可能に取り付けられたネジ軸３９に螺入された操作ノブ４０を緩め、ネジ軸３９を回動部３７の一対のノブ受け部５３の間から仮想線で示す位置に回動させると、回動部３７を仮想線で示す位置に回動させて基部３５上を開放することができる。図示するように基部３５のパイプ保持凹部４１に水平固定パイプ１１ａが嵌まり込むようにして基部３５を水平固定パイプ１１ａに当て、図示するように回動部３７を回動させて水平固定パイプ１１ａ上に被せ、基部３５及び回動部３７の双方に形成されたパイプ保持凹部４１，４２の間に水平固定パイプ１１ａを挟み込み、ネジ軸３９を回動させて操作ノブ４０が回動部３７上に位置するようにして操作ノブ４０を締め付けると、水平固定パイプ１１ａは基部３５と回動部３７との間で挟圧され、上取付アーム６は水平固定パイプ１１ａに取り付けられる。
【００２４】
一方、下取付アーム７は、図５に示すように、支持パイプ５に取り付けられたアーム連結具４４に着脱可能に連結される。アーム連結具４４は、支持パイプ５に嵌挿された嵌挿部４５から一対の挟持部４６ａ，４６ｂが延出形成されており、挟持部４６ａに形成された軸穴５４から挿通された締付軸４７の先端に形成されたネジ部４８が挟持部４６ｂに形成されたネジ穴４９に螺入するように構成され、締付軸４７には固定ピン５１により操作ノブ５０が固定されている。下取付アーム７はその一端に一対の挟持部４６ａ，４６ｂ間に嵌り合う嵌着部５２が固定ピン５３により固定されており、前記嵌着部５２に形成された切割部分を締付軸４７に通して挟持部４６ａ，４６ｂ間に挿入し、操作ノブ５０を回転操作して締付軸４７先端のネジ部４８をネジ穴４９に螺進させると、一対の挟持部４６ａ，４６ｂ間が締め付けられて装着部５２を挟圧するので、下取付アーム７は支持パイプ５に取り付けられる。
【００２５】
上記上取付アーム６及び下取り付けアーム７により区画具１をコンクリート柱Ａに取り付けるためには、コンクリート柱Ａにアーム装着ホルダ（設置位置角度調整手段）５５，５６を取り付ける。アーム装着ホルダ５５，５６は、図６（ａ）に示すようにコンクリート柱Ａにチェーン５７を巻回して取り付けた足場止め金具５８に装着する。
【００２６】
アーム装着ホルダ５５，５６は、図７、図８に示すように、Ｌの字状断面形状に形成された装着部６０と、この装着部６０に取り付けられたアーム保持部６１とを備えて構成され、上取付アーム６を保持する上側のアーム装着ホルダ５５は、図７に示すように、アーム保持部６１が装着部６０に対して角度調整可能に取り付けられた角度調整タイプを対応させ、下取付アーム７を保持する下側のアーム装着ホルダ５６は、図８に示すように、アーム保持部６１が装着部６０に対して自在角度に回転できるフリー回転タイプを対応させる。
【００２７】
アーム装着ホルダ５５，５６は、図６（ｂ）に示すように、足場止め金具５８に形成された２ヶ所の瓢箪形の装着穴５９の大径部分から装着部６０に固定された２本の装着ピン６２を挿入し、小径部分側に移動させることにより装着ピン６２のフランジ部分が小径部上に係着するので、この状態が維持されるように装着部６０上に回動金具７４により昇降できるように設けられている係止ピン６３を足場止め金具５８に形成された係止穴６４に通るように下降させて係合状態を確保する。
【００２８】
アーム保持部６１には装着部６０に固定された締付軸６５の先端側に形成されたネジ形成部６６に操作ノブ６７が螺入されており、操作ノブ６７を緩めると受け部６８から回動部６９が離れるので、パイプ保持凹部７０，７１間に上取付アーム６、下取付アーム７を挿入し、操作ノブ６７を回転させて回動部６９を受け部６８側に進出させ、受け部６８と回動部６９との間で上取付アーム６、下取付アーム７を挟圧して固定する。
【００２９】
上取付アーム６を保持するアーム装着ホルダ５５は、図７に示すように、装着部６０の垂下面に、それに固定された締付軸６５を中心とする円周上に、垂直方向と４５度方向とにそれぞれ角度調整穴（固定角度調整手段）７２が形成されている。図１に示すように、区画体１をコンクリート柱Ａと平行に取り付ける場合には、角度調整穴７２の垂直方向の２ヶ所から固定ネジ７３を挿入し、装着部６０に対してアーム保持部６１が水平方向になるようにネジ固定する。
【００３０】
一方、下取付アーム７を保持するアーム装着ホルダ５６は、図８に示すように、アーム保持部６１は装着部６０に対して締付軸６５回りに自在回転できるように取り付けられているので、保持された下取付アーム７の角度変化は自在であり、角度変化した状態は操作ノブ６７の締付によって固定される。
【００３１】
上取付アーム６の水平固定パイプ１１ａに対する取付角度、下取付アーム７の支持パイプ５に対する取付角度は、それぞれ任意に変更でき、アーム装着ホルダ５５のアーム保持角度も調整可能であり、アーム装着ホルダ５６はアーム保持角度が自在であるため、図９に示すように、区画具１を水平方向にして設置することも、下向き角度や上向き角度に設置することもできる。従って、高圧活線部位と作業区域との間を最も確実に区画できるように区画体１を配置することができる。また、アーム装着ホルダ５５，５６による上取付アーム６又は下取付アーム７の挟持位置は任意に設定できるので、区画体１のコンクリート柱Ａからの離隔距離は任意に調整可能である。
【００３２】
図１０は、第２の実施形態に係る作業区域区画用具を示すもので、より大きな面積の区画体１００を設置したい場合に対応できるようにしたものである。この区画体１００は、固定面１０１の両側に可動面１０２，１０３を角度調整可能に設けている。保管や運搬時には可動面１０２、１０３は固定面１０１上に重なるように回動させることができるので、体積を小さくすることができ、設置時には可動部１０２、１０３は任意角度に展開させて広い面積で区画することができる。この区画体１００のコンクリート柱Ａへの設置は、固定面１０１に一端で取り付けた３本の取付アーム１０４，１０５，１０６の他端をコンクリート柱Ａに巻着させたアーム装着ホルダ１０７に装着することにより取り付けることができる。
【００３３】
【発明の効果】
以上説明した通り本発明に係る作業区域区画用具によれば、区画体は絶縁性の網目体をフレームで支持した複数のネット体を任意角度に調整できるので、保管時や運搬時には小さく折り畳み状態とすることができ、設置時には区画の状態に応じて任意角度に展開することができる。従って、保管のためのスペースが少なく、運搬も容易であり、設置したときには大きな面積で且つ場所に応じた作業区域を確保することができる。また、固定手段による区画体の固定角度を任意に調整可能とする固定角度調整手段を設けることにより、区画体を作業場所や高圧部位の位置に応じた角度にして設置することができる。
【図面の簡単な説明】
【図１】第１の実施形態に係る作業区域区画用具の全体構成を示す斜視図。
【図２】区画体の構成を示す展開図。
【図３】可動面の角度調整構造を示す断面図。
【図４】上取付アームの取付構造を示す（ａ）は平面図、（ｂ）は断面図。
【図５】下取付アームの取付構造を示す（ａ）は平面図、（ｂ）は断面図。
【図６】アーム装着ホルダの取付手順を示す斜視図。
【図７】角度調整タイプのアーム装着ホルダの構成を示す（ａ）は正面図、（ｂ）は側面図。
【図８】フリー回転タイプのアーム装着ホルダの構成を示す（ａ）は正面図、（ｂ）は側面図。
【図９】区画体を水平に設置した状態を示す模式図。
【図１０】第２の実施形態に係る作業区域区画用具の構成を示す（ａ）は平面図、（ｂ）は側面図。
【符号の説明】
１，１００  区画体
２、１０１  固定面
３，１０２  可動面
５  支持パイプ（フレーム）
６  上取付アーム
７  下取付アーム
８  固定ネット体
９  可動ネット体
１１ａ，１１ｂ  水平固定パイプ（フレーム）
１２ａ，１２ｂ  傾斜固定パイプ（フレーム）
１３ａ，１３ｂ  水平可動パイプ（フレーム）
１４ａ，１４ｂ  傾斜可動パイプ（フレーム）
１７  固定リング
２２  可動リング（展開角度調整手段）
５５，５６  アーム装着ホルダ（設置位置角度調整手段）
【図１】
2004260979.tif 000003
【図２】
2004260979.tif 000004
【図３】
2004260979.tif 000005
【図４】
2004260979.tif 000006
【図５】
2004260979.tif 000007
【図６】
2004260979.tif 000008
【図７】
2004260979.tif 000009
【図８】
2004260979.tif 000010
【図９】
2004260979.tif 000011
【図１０】
2004260979.tif 000012